(57)【特許請求の範囲】
【請求項１】
検査対象のワークに形成された溝の内面を検査する検査装置であって、
前記溝の開口面に対面配置される対物レンズと、
前記溝の内面を照射する照射装置と、を備え、
前記対物レンズは広角レンズであり、
前記照射装置は、光の光芒の中心軸方向が前記溝の長手方向成分を持つように前記溝の内面に向かう光を放つ第一照射部を含む、
検査装置。
【請求項２】
請求項１に記載の検査装置であって、
前記照射装置は、光の光芒の中心軸方向が前記溝の長手方向に垂直な方向成分を持つように前記溝の内面に向かう光を放つ第二照射部を含む、
検査装置。
【請求項３】
請求項１又は２に記載の検査装置であって、
前記照射装置から放たれる光の光芒の指向角が６°以下であり、
前記照射装置から放たれる光の波長が６２０ｎｍ以上である、
検査装置。
【請求項４】
請求項１乃至３のいずれか一項に記載の検査装置において、
前記対物レンズの光軸と垂直に交わる平面内の任意の位置に前記検査対象を移動させる移動装置を備える、
検査装置。
【発明の詳細な説明】
【技術分野】
【０００１】
本発明は、検査対象物に形成された溝の内面を検査する検査装置に関する。
【背景技術】
【０００２】
従来から、検査対象物に形成された溝の内面を検査する検査装置が知られている。例えば、特許文献１は、スリット状の溝の上方から溝を撮像し、撮像した溝の内面の濃淡画像に基づいて、溝の内面を検査するスリット形状溝検査装置を開示する。
【先行技術文献】
【特許文献】
【０００３】
【特許文献１】特開２００１−３１７９２７号公報
【発明の概要】
【０００４】
（発明が解決しようとする課題）
しかし、特許文献１のスリット形状溝検査装置によれば、スリット状の溝の底面の撮像画像を得られるものの、側面においては表面の粗さの情報が得られるのみであり、側面の撮像画像を得ることができない。
【０００５】
したがって、このスリット形状溝検査装置は、溝の底面に形成された鋳巣のような深さのある欠陥を検出し、その検出結果に基づいて溝の底面を検査することができるが、側面に形成された深さのある欠陥を検出することができないため、溝の側面の欠陥の有無を検査することができない。
【０００６】
そこで、本発明は、検査対象のワークに形成された溝の底面及び側面の両方を同時に検査することができる検査装置を提供することを課題とする。
（課題を解決するための手段）
【０００７】
本発明の検査装置は、検査対象のワークに形成された溝の内面を検査する検査装置であって、溝の開口面に対面配置される対物レンズ（１１）を備える。また、この対物レンズは、広角レンズである。
【０００８】
本発明において、「広角レンズ」は、画角が６０°以上であるレンズを言う。従って、本発明に係る検査装置は、検査対象である溝の開口面に、画角が６０°以上の対物レンズが対面配置するように構成される。また、本発明において、「溝の開口面に対面配置される対物レンズ」とは、溝の開口面の法線方向に対物レンズの光軸が一致するように、対物レンズが溝に対して配置されることを言う。
【０００９】
本発明に係る検査装置によれば、溝の開口面に対面配置された対物レンズを通じて溝の内面が視認される。また、対物レンズが画角の広い広角レンズであるため、溝の内面の広範囲を一度に見ることができる。よって、溝の底面及び側面の両方を同時に見ることができる。これにより、鋳巣のような深さのある欠陥が底面及び側面のどちらに形成されていても、その欠陥を検出することができる。すなわち、本発明によれば、溝の底面及び側面の両方を同時に検査することができる。
【００１０】
さらに、本発明の検査装置は、溝の内面を照射する照射装置（６）を備える。また、照射装置は、光の光芒の中心軸方向が溝の長手方向成分を持つように溝の内面に向かう光を放つ第一照射部（２９，３１）を含む。ここで、本発明に係る照射装置に関して言及している「溝の長手方向」とは、その照射装置が照射している領域における溝の延在方向を意味する。また、照射領域内で溝が湾曲しているような場合は、その湾曲部分の一部の接線方向を溝の長手方向とする。
【００１１】
この場合、第一照射部は、光の光芒の中心軸方向が溝の側面に向かう方向成分を持つように溝の内面に向かう光を放つと良い。さらに、第一照射部は、溝の内面に照射される光の照射領域が、溝をその幅方向に跨ぐように、溝の内面を照射するように構成されているとよい。さらにこの場合、第一照射部は、対物レンズを挟んで互いに対向配置した対の第一光源部（２９，３１）を備え、対の第一光源部は、対物レンズの光軸方向から見たときに互いに対向する方向に光を放つことにより、溝の内面であって対の第一光源部に囲まれた領域を照射するように構成されているとよい。すなわち、対の第一光源部は、対物レンズを挟んで互いに対向配置され、且つ、溝の内面であって、対物レンズに対向する部分を照射するように構成されているとよい。
【００１２】
本発明に係る検査装置によれば、照射装置は、溝の底面及び両側面に光を照射することができる。溝の底面及び両側面に光が照射されると、底面及び両側面の正常部は、底面や両側面に形成された鋳巣のような欠陥部よりも明るく見える。このため、正常部と欠陥部の明暗差が明確となり、欠陥の検出精度を向上させることができる、すなわち溝の内面の検査の精度を向上させることができる。
【００１３】
また、溝の形状が湾曲していない形状、すなわち溝が直線状である場合、第一照射部は、光の光芒の中心軸方向が溝の長手方向成分を持った光を溝の底面と側面に照射する。つまり、第一照射部は、照射光の進行方向が溝の長手方向成分を含むように、照射光を溝の内面に照射する。このような方向から光を溝の内面に照射することによって、検査面内の任意の位置における輝度のムラが抑制される。その結果、正常部であっても暗くなって正常部が欠陥であると判定される誤検出や、欠陥部が明るく見えることで欠陥部が欠陥として検出されない欠陥の見逃しを生じる可能性が低減する。よって、欠陥の検出精度を向上させることができる、すなわち溝の内面の検査の精度を向上させることができる。
【００１４】
さらに、本発明の照射装置は、光の光芒の中心軸方向が溝の長手方向に垂直な方向成分を持つように溝の内面に向かう光を放つ第二照射部（２８，３０）を含むとよい。この場合、第二照射部は、対物レンズを挟んで互いに対向配置した対の第二光源部（２８，３０）を備え、対の第二光源部は、対物レンズの光軸方向から見たときに互いに対向する方向に光を放つように構成されているとよい。そして対物レンズの光軸方向から見た場合における対の第二光源部の対向方向は、対の第一光源部の対向方向と直交する方向であると良い。
【００１５】
この場合、検査装置は、対物レンズが直線状の溝の開口面に対面配置しているときに、第一照射部のみが溝の内面を照射し、対物レンズが湾曲状の溝の開口面に対面配置しているときに、第一照射部及び第二照射部が溝の内面を照射するように、第一照射部と第二照射部との照射状態を制御する制御装置（８）を備えるのがよい。
【００１６】
本発明に係る検査装置によれば、第二照射部は、光の光芒の中心軸方向が溝の長手方向成分に垂直な方向成分を持った光を溝の底面及び側面に照射する。つまり、第二照射部は、照射光の進行方向が溝の長手方向に垂直な方向成分を含むように、照射光を溝の内面に照射する。これによれば、溝の形状が湾曲している形状、すなわちスリット状の溝が湾曲状である場合、第二照射部は、第一照射部で照射されにくい部分にも光を照射することができる。つまり、第一照射部で光を照射することができない溝の内面に、第二照射部から光を照射することができる。このため、湾曲状の溝の底面及び側面のどちらもムラなく光が照射され、検査面内の任意の位置における明るさのムラが抑制される。よって、欠陥の検出精度を向上させることができる、すなわち溝の内面の検査の精度を向上させることができる。
【００１７】
さらに、本発明の検査装置は、照射装置から放たれる光の光芒の指向角が６°以下であるとよい。また、照射装置から放たれる光の波長が６２０ｎｍ以上であるとよい。
【００１８】
本発明に係る検査装置によれば、照射装置から放たれた光の指向角が狭いため、欠陥部から反射される正反射光及び乱反射光が減少する。このため、溝の正常面は、鋳巣のような欠陥部よりも明るく見え、正常面と欠陥部の明暗差がより明確となる。よって、欠陥の検出精度を向上させることができる、すなわち溝の内面の検査の精度を向上させることができる。
【００１９】
また、照射装置から放たれる光の波長が６２０ｎｍ以上の長波長であるため、溝の内面で乱反射が生じにくく、検査面の任意の位置における明るさのムラが抑制される。よって、欠陥の検出精度を向上させることができる、すなわち溝の内面の検査の精度を向上させることができる。
【００２０】
さらに、本発明の検査装置は、対物レンズの光軸と垂直に交わる平面内の任意の位置に検査対象を移動させる移動装置（１０）を備えるとよい。
【００２１】
本発明に係る検査装置によれば、対物レンズの光軸と垂直に交わる平面内の任意の位置に検査対象を移動させることができるため、溝の内面の任意の位置を検査することができる。また、対物レンズ及び溝との距離を所定の距離に保って検査対象を移動させることができるため、検査状態にばらつきが生じにくくなり、溝の内面の検査の精度を向上させることができる。
【図面の簡単な説明】
【００２２】
【図１】実施形態において、本発明に係る検査装置の全体構成の概略を示す概略図である。
【図２】図１における照射装置を紙面に向かって前側から見た概略図である。
【図３】図１における照射装置を右側から見た概略図である。
【図４Ａ】実施形態における検査装置がスリット状の溝の底面及び側面に欠陥があるか否かを判定し、ワークの内面の状態が良好か否かを判断するまでの過程の概要を示すフローチャートである。
【図４Ｂ】図４Ａに続くフローチャートである。
【図４Ｃ】図４Ｂに続くフローチャートである。
【図５】本実施形態において、本発明に係る検査装置で直線状の溝の底面及び側面を撮像した撮像画像の模式図である。
【図６】本実施形態において、本発明に係る検査装置で直線状の溝の底面及び側面を撮像した撮像画像に対して歪み補正処理を行った画像の模式図である。
【図７】本実施形態において、歪み補正処理を行なった画像に対して視点変換処理を行った画像の模式図である。
【図８】欠陥候補の特徴量Ｒａを示す図である。
【図９】直線状の溝に対して平行照射方式で光を照射した場合の照射装置の配置に関する模式図及びこの場合の輝度分布を示す図である。
【図１０】直線状の溝に対して垂直照射方式で光を照射した場合の照射装置の配置に関する模式図及びこの場合の輝度分布を示す図である。
【図１１】湾曲状の溝に対して垂直照射方式で光を照射した場合の照射装置の配置に関する模式図及びこの場合の輝度分布を示す図である。
【図１２】湾曲状の溝に対して垂直・平行照射併用方式で光を照射した場合の照射装置の配置に関する模式図及びこの場合の輝度分布を示す図である。
【発明を実施するための形態】
【００２３】
以下、本発明に係る検査装置の実施形態について、図を参照して説明する。各図における方向は、各図に示す方向である。
【００２４】
図１は、本実施形態に係る検査装置１の全体構成の概要を示す図である。なお、図１において、紙面に向かって手前側を前側、紙面に向かって奥側を後側と定義する。
【００２５】
本実施形態の検査装置１は、検査対象であるワークＷに形成されたスリット状の溝の底面及び両側面を同時に検査する。このために、溝の底面及び両側面が一つの撮像画像内に撮像されるように、溝の上方から後述のカメラ２で溝の内面を撮像する。検査装置１は、カメラ２で撮像された撮像画像に基づいて、溝の底面及び両側面に鋳巣や傷等のように深さのある欠陥があるか否かを判定し、その判定結果を基に、ワークＷの状態、具体的にはワークＷに形成された溝の表面状態が良好か否かを検査する。
【００２６】
検査装置１は、撮像装置３、入出力制御装置４、照射装置用電源装置５、照射装置６、支持装置７、制御装置８、ロボットアーム制御装置９及びワーク移動装置１０を備える。撮像装置３は、図１に示すように、対物レンズ１１、鏡筒１２、レンズシステム１３、連結アダプター１４及びカメラ２を備える。
【００２７】
本実施形態において、対物レンズ１１の下面視の形状（光軸方向から見た形状）は円形である。また、対物レンズ１１は広角レンズであり、その画角は１１０°である。対物レンズ１１は、外部から入射した光を集光する。対物レンズ１１で集光された光は、鏡筒１２の内部へ進行する。このとき、対物レンズ１１の光軸と鏡筒１２の中心軸が同軸となるように鏡筒１２内の下端部に対物レンズ１１が収容される。
【００２８】
鏡筒１２は、円筒状に形成される。鏡筒１２の中心軸方向は上下方向に一致する。また、鏡筒１２の内部には、図示しない複数の反射鏡が設けられる。この複数の反射鏡を経由して鏡筒１２から進行した光は、カメラ２内に備えられる後述する受光素子１５に受光される。言い換えれば、複数の反射鏡は、対物レンズ１１で集光された光がカメラ２内の受光素子１５の受光面で受光されるように、この光を反射する。
【００２９】
レンズシステム１３は、レンズ収容ボディー１６、ピント調節用レンズ１７、絞り１８を備える。レンズシステム１３は、鏡筒１２の上側に配設される。
【００３０】
レンズ収容ボディー１６は、円筒状に形成される。レンズ収容ボディー１６の材質はアルミニウム製である。レンズ収容ボディー１６の下端部は、鏡筒１２の上端部に連結される。レンズ収容ボディー１６の中心軸は上下方向に延び、鏡筒１２の中心軸と同軸になるように、レンズ収容ボディー１６が配設される。
【００３１】
本実施形態において、ピント調節用レンズ１７は、１つのレンズで構成される。ピント調節用レンズ１７は、レンズの位置や数を任意に変更することで、検査対象へピントを合わせることができる。そのため、ピント調節用レンズ１７は、１つではなく必要に応じて複数のレンズで構成されていてもよい。ピント調節用レンズ１７は、レンズ収容ボディー１６内に収容される。ピント調節用レンズ１７の下面視は、円形である。ピント調節用レンズ１７の光軸は上下方向に延び、レンズ収容ボディー１６の中心軸及び鏡筒１２の中心軸と同軸になるように配設される。
【００３２】
絞り１８は、図示しない絞り孔を備えており、レンズ収容ボディー１６内に収容され、ピント調節用レンズ１７の上側に配設される。このとき、絞り１８は、絞り孔の中心軸がピント調節用レンズ１７の中心軸と同軸になるように配設される。絞り１８は、絞り孔の広さが調節されることで、連結アダプター１４及び後述のカメラ２へ進行する光の光量を調節することが可能である。
【００３３】
連結アダプター１４は、円筒状に形成される。連結アダプター１４の材質はアルミニウム製である。連結アダプター１４の下端部は、レンズ収容ボディー１６の上端部に連結される。このとき、連結アダプター１４は、その中心軸とレンズ収容ボディー１６の中心軸が同軸になるように、レンズ収容ボディー１６に連結される。
【００３４】
カメラ２は、カメラボディー１９、受光素子１５、信号増幅装置２０及びＡＤ（Ａｎａｌｏｇ  Ｔｏ  Ｄｉｇｉｔａｌ）変換器２１、等を備える。
【００３５】
カメラボディー１９は、受光素子１５、信号増幅装置２０及びＡＤ変換器２１、等を収容する筐体である。カメラボディー１９は、連結アダプター１４の上方に配設される。カメラボディー１９の下端部は、連結アダプター１４の上端部に連結されることで連結アダプター１４を介してレンズ収容ボディー１６に連結される。カメラボディー１９には、連結アダプター１４と連結された部分に円孔が形成される。この円孔の中心軸は上下方向に延び、連結アダプター１４の中心軸と同軸になるようにカメラボディー１９が配設される。この円孔は、対物レンズ１１、鏡筒１２、レンズシステム１３及び連結アダプター１４を通過した光がカメラボディー１９の内部の受光素子１５に受光されるような位置に形成される。
【００３６】
受光素子１５は、受光面を有し、連結アダプター１４を通過した光を受光面で受光できる位置に配設される。受光素子１５は、信号増幅装置２０と電気的に接続される。本実施形態において、受光素子１５は、ＣＣＤ（Ｃｈａｒｇｅ  Ｃｏｕｐｌｅｄ  Ｄｅｖｉｃｅ）である。受光素子１５は、受光面で受光した光の強度に基づいた電荷を生成する。この電荷は、カメラボディー１９内に収容された図示しないキャパシターに信号電荷として出力される。信号電荷は、キャパシターにおいてアナログの信号電圧に変換される。この信号電圧は、信号増幅装置２０へ出力される。
【００３７】
信号増幅装置２０は、ＡＤ変換器２１と電気的に接続される。信号増幅装置２０は、キャパシターから入力されたアナログの信号電圧を増幅させて、この増幅されたアナログの信号電圧をＡＤ変換器２１へ出力する。
【００３８】
ＡＤ変換器２１は、増幅されたアナログの信号電圧を信号増幅装置２０から入力し、増幅されたアナログの信号電圧をデジタルの信号へ変換する。ＡＤ変換器２１は、入出力制御装置４に備えられた画像処理装置２２と電気的に接続されており、このデジタルの信号を画像処理装置２２へ出力する。
【００３９】
入出力制御装置４は、画像処理装置２２、メモリ２３、ＣＰＵ２４（Ｃｅｎｔｒａｌ  Ｐｒｏｃｅｓｓｉｎｇ  Ｕｎｉｔ）及び照射制御装置２５、等を備える。また、入出力制御装置４は、検査用アプリケーションソフトを備える。検査用アプリケーションソフトは、撮像画像に対して後述するように検査領域の抽出等を行う。入出力制御装置４は、モニター２６、キーボード２７、制御装置８、照射装置用電源装置５と電気的に接続される。
【００４０】
画像処理装置２２は、ＡＤ変換器２１から入力されたデジタルの信号に基づいて、撮像画像を生成し、この撮像画像に対して所定の画像処理を行い、画像処理済の撮像画像データを生成し、この撮像画像データをメモリ２３に出力する。ここでいう所定の画像処理とは、撮像された画像に発生した歪曲収差を補正する歪曲収差補正処理、撮像された画像内の溝の底面及び両側面が同一平面として見えるように画像を変換する視点変換処理、補正された画像内のノイズ成分を除去するノイズ除去処理、及び白と黒の２色で画像を生成する二値化処理、等である。
【００４１】
メモリ２３は、画像処理装置２２から入力された画像処理済の撮像画像データを一時的に保存するとともに、画像処理済の撮像画像データをモニター２６へ出力する。
【００４２】
モニター２６は、メモリ２３から入力された画像処理済の撮像画像データに基づいて、撮像画像を表示する。また、モニター２６は、検査用アプリケーションソフトの操作画面を表示する。操作者は、この検査用アプリケーションソフトを動作させるときや、設定を行うとき、等にキーボード２７を操作する。
【００４３】
ＣＰＵ２４は、画像処理装置２２、照射制御装置２５及び制御装置８と電気的に接続される。ＣＰＵ２４は、後述する図４に示すフローチャートのプログラムの移行やプログラムでの判定や判定結果に応じたプログラムの移行などを行い、フローチャートに従った制御を実行するように画像処理装置２２、照射制御装置２５及び制御装置８へ指示する。
【００４４】
照射制御装置２５は、照射装置用電源装置５へ照射制御信号を出力して照射装置用電源装置５を制御する。
【００４５】
照射装置用電源装置５は、入力された照射制御信号に基づいて、照射装置６へ電源となる電力を供給することで照射装置６を点灯させる。又、照射装置用電源装置５は、照射装置６への電力の供給を遮断することで照射装置６を消灯させる。
【００４６】
照射装置６は、第一照射部２８、第二照射部２９、第三照射部３０及び第四照射部３１を備える。第一照射部２８、第二照射部２９、第三照射部３０及び第四照射部３１は、鏡筒１２の側方に配設される。このとき、これらの照射部の高さ位置が一致し、且つ、鏡筒１２の中心軸から等距離となるように、それぞれの照射部が配設される。さらに、第一照射部２８は、鏡筒１２の中心軸を軸として第三照射部３０と対称となるように配設される。つまり、第一照射部２８と第三照射部３０は、鏡筒１２内の対物レンズ１１を挟んで対向配置される。第二照射部２９は、鏡筒１２の中心軸を軸として第四照射部３１と対称となるように配設される。つまり、第二照射部２９と第四照射部３１は、鏡筒１２内の対物レンズ１１を挟んで対向配置される。また、鏡筒１２の軸方向、すなわち対物レンズ１１の光軸方向から見て、第一照射部２８と第三照射部３０との対向方向と、第二照射部２９と第四照射部３１との対向方向とは、直交する。すなわち、第一照射部２８、第二照射部２９、第三照射部３０及び第四照射部３１は、第一照射部２８と第三照射部３０を結ぶ直線と第二照射部２９と第四照射部３１を結ぶ直線が垂直に交わるように、それぞれ配設される。
【００４７】
第一照射部２８、第二照射部２９、第三照射部３０及び第四照射部３１の発光面の形状は、正面視にて長方形である。それぞれの照射部には、複数のＬＥＤ（Ｌｉｇｈｔ  Ｅｍｉｔｔｉｎｇ  Ｄｉｏｄｅ）素子３２が備えられ、これらのＬＥＤ素子３２が面状に配列される。ＬＥＤ素子３２は、６２０ｎｍ以上の波長を有し、赤色の光を放つ。この照射装置６のＬＥＤ素子３２から放たれる光の光芒の指向角は６°である。
【００４８】
第一照射部２８、第二照射部２９、第三照射部３０及び第四照射部３１は、電気的に照射装置用電源装置５に接続され、照射装置用電源装置５から電力が入力されることでＬＥＤ素子３２を発光させる。第一照射部２８、第二照射部２９、第三照射部３０及び第四照射部３１は、それぞれを独立させて点灯及び消灯が可能となるように構成される。また、第一照射部２８、第二照射部２９、第三照射部３０及び第四照射部３１の照射方向は、それぞれ独立させて変更可能となるように構成される。
【００４９】
図１において、第一照射部２８は、鏡筒１２の右側に配設される。第一照射部２８の発光面は、第一照射部２８から放たれる光の照射方向（光芒軸方向）が左下方となるように、水平方向から４５°傾斜している。
【００５０】
図１において、第二照射部２９は、鏡筒１２の前側（紙面の手前側）に配設される。第二照射部２９の発光面は、第二照射部２９から放たれる光の照射方向（光芒軸方向）が紙面の奥側に向けて下方となるように、水平方向から４５°傾斜している。
【００５１】
図１において、第三照射部３０は、鏡筒１２の左側に配設される。第三照射部３０の発光面は、第三照射部３０から放たれる光の照射方向（光芒軸方向）が右下方となるように、水平方向から４５°傾斜している。
【００５２】
図１において、第四照射部３１は、鏡筒１２の後側（紙面の奥側）に配設される。第四照射部３１の発光面は、第四照射部３１から放たれる光の照射方向（光芒軸方向）が紙面の前側に向けて下方となるように、水平方向から４５°傾斜している。
【００５３】
上記したように各照射部が配設されることにより、第一照射部２８と第三照射部３０（対の第一光源部）は、鏡筒１２の中心軸方向（対物レンズの光軸方向）から見たときに、互いに対向する方向に光を放ち、第二照射部２９と第四照射部３１（対の第二光源部）は、鏡筒１２の中心軸方向（対物レンズの光軸方向）から見たときに、互いに対向する方向に光を放つ。
【００５４】
照射装置６は、支持装置７によって支持される。支持装置７は、照射装置支持部材３３、第一照射部支持部材３４、第二照射部支持部材３５、第三照射部支持部材３６、第四照射部支持部材３７、第一支持部材３８、第二支持部材３９、第三支持部材４０、連結部材４１及び第一台座部４２を備える。
【００５５】
照射装置支持部材３３は、照射装置６の上方に配設される。照射装置支持部材３３の中央部には上下方向に貫通した貫通孔３３ａが形成される。この貫通孔３３ａの径は、鏡筒１２の径より大きくなるように形成される。この貫通孔３３ａには、鏡筒１２が挿入される。
【００５６】
第一照射部支持部材３４は、照射装置支持部材３３の図１において右側端部から下方に延設された２本の棒状部材である。第一照射部支持部材３４の下方端部に第一照射部２８の手前側面及び奥側面が接続されることにより、第一照射部２８が第一照射部支持部材３４に支持される。
【００５７】
第二照射部支持部材３５は、照射装置支持部材３３の図１において手前側端部から下方に延設された２本の棒状部材である。第二照射部支持部材３５の下方端部に第二照射部２９の右側面及び左側面が接続されることにより、第二照射部２９が第二照射部支持部材３５に支持される。
【００５８】
第三照射部支持部材３６は、照射装置支持部材３３の図１において左側端部から下方に延設された２本の棒状部材である。第三照射部支持部材３６の下方端部に第三照射部３０の手前側面及び奥側面が接続されることにより、第三照射部３０が第三照射部支持部材３６に支持される。
【００５９】
第四照射部支持部材３７は、照射装置支持部材３３の図１において奥側端部から下方に延設された２本の棒状部材である。第四照射部支持部材３７の下方端部に第四照射部３１の右側面及び左側面が接続されることにより、第四照射部３１が第四照射部支持部材３７に支持される。
【００６０】
図２は、照射装置６及び支持装置７の一部分を図１の手前側から見た概略図である。また、図３は、照射装置６及び支持装置７の一部分を図１の右側から見た概略図である。図２に示すように、照射装置支持部材３３の上面の左側部と第一支持部材３８の下面の右側部が連結される。このとき、図３に示すように、第一支持部材３８は鏡筒１２の手前側で照射装置支持部材３３に連結される。また、図２に示すように、照射装置支持部材３３の上面の左側部と第二支持部材３９の下面の右側部が連結される。このとき、図３に示すように、第二支持部材３９は鏡筒１２の奥側で照射装置支持部材３３に連結される。さらに、図１に示すように、第一支持部材３８の左側面及び第二支持部材３９の左側面が連結部材４１の中央部の右側面に連結されることで第一支持部材３８及び第二支持部材３９が連結部材４１に支持される。
【００６１】
第三支持部材４０の右側面とカメラボディー１９の左側面が連結される。第三支持部材４０の左側面と連結部材４１の上端部の右側面が連結されることでカメラボディー１９は連結部材４１に支持される。連結部材４１の下端面と第一台座部４２の上面の中央部が連結される。このようにして、照射装置６及び撮像装置３の位置が固定される。
【００６２】
制御装置８は、入出力制御装置４及びロボットアーム制御装置９と電気的に接続される。制御装置８は、画像処理装置２２、照射制御装置２５及びロボットアーム制御装置９に制御信号を出力し、撮像のタイミング、照射装置６の点灯及び消灯並びに後述のワーク支持台４３の移動、等を制御する。本実施形態において、制御装置８は、図示しない起動スイッチを備えており、起動スイッチがＯＮにされたときにあらかじめ設定されたプログラムに従って各装置に制御指示を行う。これにより、ワークＷに形成された溝の表面状態が良好か否かの検査が自動で行われる。
【００６３】
ワーク移動装置１０は、ロボットアーム４４、第二台座部４５及びワーク支持台４３を備える。ロボットアーム４４は、複数の関節を備えており、その基端にて第二台座部４５に連結され、その先端にてワーク支持台４３に連結される。ロボットアーム４４の先端に連結されたワーク支持台４３が３次元的に移動できるように、各関節の動きがロボットアーム制御装置９で制御される。
【００６４】
ワーク支持台４３は、その上面にワークＷが載置されるように構成される。ワーク支持台４３の上面には、上方に延在する複数の図示しないピン及び図示しないワーク押え装置が設けられる。ピンは、ワーク支持台４３にワークＷを載置したときに、ワークＷに形成された貫通孔がある位置と対応する位置に備えられる。そのため、貫通孔にピンが挿入されて、ワークＷがワーク支持台４３上で位置決めされる。そして、ワーク押え治具でワークＷを固定する。
【００６５】
次に、検査対象であるワークＷに形成されたスリット状の溝の内面を検査装置１が検査し、ワークＷに形成された溝の表面状態が良好か否かを検査装置１が判断するまでの過程を説明する。図４Ａ，Ｂ，Ｃは、この過程の概要を示すフローチャートである。
【００６６】
まず、図４ＡのフローチャートのステップＳ１において、前述のように図１のワークＷに形成された貫通孔にワーク支持台４３上のピンが挿入されるように、ワーク支持台４３の上面にワークＷが載置される。そして、ワーク押え装置でワークＷが押えられることによりワークＷがワーク支持台４３に固定される。
【００６７】
次に、ステップＳ２において、制御装置８に備えられた起動スイッチがＯＮにされると、制御装置８は、スリット状の溝の内面の初期検査位置を検査するために、ワークＷが初期位置に移動されるように、ロボットアーム４４を動作させるための指示信号であるロボットアーム初期位置信号をロボットアーム制御装置９に出力する。
【００６８】
次に、ステップＳ３において、ロボットアーム制御装置９にロボットアーム初期位置信号が制御装置８から入力されるとともに、ワークＷを初期位置に移動させるようにロボットアーム４４の動作が制御される。これにより、ワークＷは初期位置に移動される。ワークＷが初期位置に移動された場合、鏡筒１２内の対物レンズは、ワークＷに形成されている溝の開口面に対面配置される。図１においては、対物レンズが、溝の開口面の直上に配置される。なお、ワークＷに形成されている溝は、底面及び、底面の両端から形成される両側面を有する。
【００６９】
次に、ステップＳ４において、撮像装置３は、検査対象であるスリット状の溝を溝の上方から撮像するとともに、画像処理装置２２がその画像を基に、上面視における溝の形状が湾曲しているか否かを判定する。溝の形状が湾曲していると判定された場合、すなわち図４のステップＳ４の判定結果がＹＥＳの場合、ＣＰＵ２４は、プログラムをステップＳ５へ移行させる信号であるＳ５移行制御信号を制御装置８に出力する。一方、溝の形状が直線状であり、湾曲していないと判定された場合、すなわちステップＳ４の判定結果がＮＯの場合、ＣＰＵ２４は、プログラムをステップＳ６へ移行させる信号であるＳ６移行制御信号を制御装置８に出力する。
【００７０】
制御装置８は、Ｓ５移行制御信号が入力された場合、ステップＳ５にて、第一照射部２８、第二照射部２９、第三照射部３０及び第四照射部３１を点灯させる制御信号を照射制御装置２５へ出力する。照射制御装置２５は、この制御信号を入力すると、照射装置用電源装置５を制御して第一照射部２８、第二照射部２９、第三照射部３０及び第四照射部３１を点灯させる。これにより、第一照射部２８、第二照射部２９、第三照射部３０、及び第四照射部３１から放たれた光が、湾曲状の溝の内面であって、これらの照射部に囲まれた領域に照射される。また、このとき、第二照射部２９から照射される光の照射方向及び第四照射部３１から照射される光の照射方向が、照射領域における溝のある一部分の接線方向に沿った方向成分を持つように、これらの照射部と溝との相対位置関係が、ロボットアーム４４により調整される。具体的には、第一照射部２８、第二照射部２９、第三照射部３０、第四照射部３１の溝に対する配置状態が、後述する図１２（ａ）に示される照明装置Ｇ，Ｈ，Ｉ，Ｊの配置状態に一致するように、これらの照射部を溝に対して配置する。この図１２（ａ）において、照明装置Ｇ，Ｈの配置状態が第二照射部２９及び第四照射部３１の配置状態に対応し、照明装置Ｉ，Ｊの配置状態が第一照射部２８及び第三照射部３０の配置状態に対応する。
【００７１】
一方、制御装置８は、Ｓ６移行指示信号が入力された場合、ステップＳ６にて、第二照射部２９及び第四照射部３１を点灯させる指示信号を照射制御装置２５へ出力する。照射制御装置２５は、この指示信号を入力すると、照射装置用電源装置５を制御して第二照射部２９及び第四照射部３１を点灯させる。これにより、第二照射部２９及び第四照射部３１から放たれた光が、直線状の溝の内面であって、これらの照射部に囲まれた領域に照射される。また、このとき、第二照射部２９から照射される光の照射方向及び第四照射部３１から照射される光の照射方向が、照射領域における溝の長手方向成分を持つように、これらの照射部と溝との相対位置関係が、ロボットアーム４４により調整される。具体的には、第二照射部２９及び第四照射部３１の溝に対する配置状態が、後述する図１０（ａ）に示される照明装置Ｃ，Ｄの配置状態に一致するように、これらの照射部を溝に対して配置する。
【００７２】
ステップＳ５又はステップＳ６で所定の照射装置６が点灯されると、ＣＰＵ２４は、プログラムをステップＳ７へ移行させる。
【００７３】
ステップＳ７において、制御装置８は、画像処理装置２２を制御して、溝の底面及び両側面の撮像画像を画像処理装置２２に取得させる。この場合において、照射装置６により溝の内面に照射された光の反射光が、対物レンズ１１を介してカメラ２の受光素子１５に受光される。受光素子１５に受光された光の強度に基づいて、撮像画像が得られる。また、本実施形態においては、対物レンズ１１が、画角１１０°の広角レンズであるので、溝の広い範囲に反射した光を集光することができる。よって、溝の底面にて反射した光のみならず、溝の両側面にて反射した光をも、同時に集光することができる。その結果、撮像画像には、溝の底面、及び、溝の両側面の表面が、同時に映し出される。
【００７４】
画像処理装置２２が取得した撮像画像の模式図を図５に示す。図５の撮像画像には、光が対物レンズ１１を通過することによる歪曲収差が発生している。このため、撮像画像は、左右の端に向かうほど縮んでいる。
【００７５】
次に、画像処理装置２２は、ステップＳ８において、ステップＳ７で取得した撮像画像に生じた歪曲収差を補正する。この歪曲収差を補正する補正処理によって補正された画像の模式図を図６に示す。図６の歪曲収差が補正された画像は、図５の撮像画像に生じていた歪曲収差が補正されて、溝の底面及び側面の縮みが矯正されている。
【００７６】
次に、画像処理装置２２は、ステップＳ９において、ステップＳ８で歪曲収差が補正された画像に対して、溝の底面及び側面の間に生じている遠近の差を無くすように補正する処理である視点変換処理を行う。この視点変換処理により補正された画像の模式図を図７に示す。視点変換処理により取得される画像に映された溝の側面部分は、溝の側面に対向する位置から側面を撮像した場合と同様な画像となる。このようにすることで、溝に形成された後述する欠陥の特徴量Ｒａを正確に算出することが可能となる。
【００７７】
次に、画像処理装置２２は、図４ＢのステップＳ１０において、ステップＳ９で得られた画像内の図７の溝の底面部分に対して、あらかじめ設定された所定の面積をもつ矩形状の領域を底面の検査領域として抽出する。
【００７８】
次に、画像処理装置２２は、ステップＳ１１において、ステップＳ１０で抽出された図７の溝の底面の検査領域内のノイズ成分を除去する。
【００７９】
次に、画像処理装置２２は、ステップＳ１２において、ステップＳ１１で得られたノイズ成分が除去された図７の溝の底面の画像内の検査領域に対して、二値化処理を行う。二値化処理が行われた画像は、白色と黒色の２色で表された画像となる。
【００８０】
次に、画像処理装置２２は、ステップＳ１３において、ステップＳ１２で得られた二値化処理された画像において、黒色で表された部分を溝の底面に形成された欠陥候補として抽出する。また、白色で表された部分は溝の底面における正常部である。
【００８１】
次に、画像処理装置２２は、ステップＳ１４において、ステップＳ１３で抽出した図７の溝の底面における全ての欠陥候補の特徴量Ｒａを算出する。本実施形態において、図８に示すように、この特徴量Ｒａは、欠陥候補が内接するような最小の楕円における長径の長さである。
【００８２】
次に、画像処理装置２２は、ステップＳ１５において、ステップＳ１４で抽出された全ての欠陥候補に対して、ステップＳ１４で算出された特徴量Ｒａが規格値以上である欠陥候補が存在するか否かを判定する。画像処理装置２２は、ステップＳ１５の判定結果をＣＰＵ２４に出力する。特徴量Ｒａが規格値以上である欠陥候補が一つ以上存在すると画像処理装置２２が判定した場合、すなわちステップＳ１５の判定結果がＹＥＳの場合、ＣＰＵ２４は、プログラムをステップＳ１６へ移行させ、欠陥抽出回数Ｃｄを＋１加算する（欠陥抽出回数Ｃｄをインクリメントする）。その後、プログラムをステップＳ１７に移行させる。一方、特徴量Ｒａが規格値以上である欠陥候補が存在しないと画像処理装置２２が判定した場合、すなわちステップＳ１５の判定結果がＮＯの場合、ＣＰＵ２４は、欠陥抽出回数Ｃｄをインクリメントすることなく、プログラムをステップＳ１７へ移行させる。
【００８３】
次に、画像処理装置２２は、ステップＳ１７において、前述のステップＳ９で得られた画像内の図７の溝の両側面におけるそれぞれの検査領域を抽出する。この場合、溝の両側面のそれぞれに対して、あらかじめ設定された所定の面積をもつ矩形状の領域をそれぞれの側面の検査領域として抽出する。
【００８４】
次に、画像処理装置２２は、ステップＳ１８において、ステップＳ１７で抽出した溝の両側面の検査領域内のノイズ成分を除去する。
【００８５】
次に、画像処理装置２２は、図４ＣのステップＳ１９において、ステップＳ１８で得られたノイズ成分が除去された図７の溝の両側面の検査領域の画像に対して、二値化処理を行う。
【００８６】
次に、画像処理装置２２は、ステップＳ２０において、ステップＳ１９で得られた二値化処理された画像の中から黒色で表された部分を溝の両側面に形成された欠陥候補として抽出する。また、二値化処理された画像の白色で表された部分は、溝の側面における正常部である。
【００８７】
次に、画像処理装置２２は、ステップＳ２１において、ステップＳ２０で抽出した溝の両側面における全ての欠陥候補に対して特徴量Ｒａを算出する。
【００８８】
次に、画像処理装置２２は、ステップＳ２２において、ステップＳ２１で算出された特徴量Ｒａが規格値以上である欠陥候補が存在するか否かを判定する。特徴量Ｒａが規格値以上である欠陥候補が存在すると画像処理装置２２が判定した場合、すなわちステップＳ２２の判定結果がＹＥＳの場合、ＣＰＵ２４は、プログラムをステップＳ２３へ移行させ、欠陥抽出回数Ｃｄを＋１加算する（欠陥抽出回数Ｃｄをインクリメントする）。その後、プログラムをステップＳ２４に移行させる。一方、特徴量Ｒａが規格値以上である欠陥候補が存在しないと画像処理装置２２が判定した場合、すなわちステップＳ２２の判定結果がＮＯの場合、ＣＰＵ２４は、欠陥抽出回数Ｃｄをインクリメントすることなく、プログラムをステップＳ２４へ移行させる。ここで、このときのワークＷの位置における溝内の検査領域の検査が完了となる。
【００８９】
次に、ステップＳ２４において、ＣＰＵ２４は、溝内の全検査領域の検査が完了したか否かを判定する。溝内の全検査領域の検査が完了していないとＣＰＵ２４が判定した場合、すなわちステップＳ２４の判定結果がＮＯの場合、ＣＰＵ２４は、プログラムをステップＳ２５へ移行させる。
【００９０】
ステップＳ２５において、制御装置８は、次の検査位置にワークＷが移動されるように、ロボットアーム４４を動作させるための指示信号であるロボットアーム移動信号をロボットアーム制御装置９に出力する。ロボットアーム制御装置９は、ロボットアーム移動信号が入力されるとともに、次の検査位置である前回検査した検査領域に隣り合う領域にワークＷを移動させるようにロボットアーム４４の動作を制御する。これにより、ワークＷは、前回検査した検査領域に隣り合う検査領域に移動される。前回検査した検査位置に隣り合う検査位置にワークＷが移動された場合、鏡筒１２内の対物レンズは、溝の開口面に対面配置される。その後、ＣＰＵ２４は、プログラムをステップＳ４へ移行させる。なお、本実施形態において、次の検査領域は、前回の検査領域の一部が重なるようにして抽出される。これにより、前回の検査領域と次の検査領域に跨って形成された欠陥候補であっても見逃すことなく欠陥候補として抽出することが可能となる。
【００９１】
一方、ステップＳ２４において、ＣＰＵ２４が溝内の全検査範囲の検査が完了したと判定した場合、すなわちステップＳ２４の判定結果がＹＥＳの場合、ＣＰＵ２４は、プログラムをステップＳ２６へ移行させる。
【００９２】
次に、ステップＳ２６において、ＣＰＵ２４は、欠陥抽出回数Ｃｄが１以上か否かを判定する。欠陥抽出回数Ｃｄが１以上であるとＣＰＵ２４が判定した場合、すなわちステップＳ２６の判定結果がＹＥＳの場合、ＣＰＵ２４は、プログラムをステップＳ２７へ移行させる。
【００９３】
ステップＳ２７においては、ステップＳ２６で欠陥抽出回数Ｃｄが１以上であると判定されたため、ＣＰＵ２４は、ワークＷに形成された溝の内面の状態が良好でないと判断する。
【００９４】
一方、ステップＳ２６において、欠陥抽出回数Ｃｄが１以上ではないとＣＰＵ２４が判定した場合、すなわちステップＳ２６の判定結果がＮＯの場合、ＣＰＵ２４は、プログラムをステップＳ２８へ移行させる。
【００９５】
ステップＳ２８においては、ステップＳ２６で欠陥抽出回数Ｃｄが１以上ではないと判定されたため、ＣＰＵ２４は、ワークＷに形成された溝の内面の状態が良好であると判断する。このようにして、ワークＷに形成された溝の内面が検査され、この溝の内面が良好か否かを検査装置１が判断する。
【００９６】
このように、本実施形態に係る検査装置によれば、溝の開口面に対面配置された対物レンズ１１が、画角１１０°の広角レンズである。そのため、この対物レンズ１１を通して、溝の底面及び両側面を一度に撮像することができる。よって、溝の底面及び側面の両方を同時に検査することができる。
【００９７】
ところで、上記構成の検査装置において、溝内に照射装置で光を照射すると、溝内がより明確に視認される。このとき、検査する溝の形状に適した方向から光を照射することで、溝内の位置によって輝度が異なるような輝度のムラが生じることを抑制できる。この輝度のムラが生じると、正常部であっても暗く見えることで正常部が欠陥であると判定されるといった誤検出や、欠陥部であっても明るく見えることで欠陥部が欠陥として検出されないといった欠陥の見逃しを生じる可能性がある。ここで、直線状の溝及び湾曲状の溝のそれぞれの溝へ光を照射する場合について、照射方向とそのときの溝内の輝度分布の様子について説明する。
【００９８】
まず、直線状の溝に照射装置で光を照射した場合の溝の底面及び側面の輝度分布について説明する。図９の（ａ）に示すように、直線状の溝を挟むようにして配設された２つの照射装置Ａ，Ｂから放たれた光の光芒の中心軸方向が溝の長手方向に垂直な方向成分を持つような方向から溝の内面に光を照射する場合について考察する（以下、このような照射の仕方を平行照射方式とする）。平行照射方式により溝の内面を照射すると、図９の（ｂ）に示すように、溝内の長手方向に沿って、輝度分布にムラが生じる可能性がある。平行照射方式により溝の内面を照射した場合には照射装置Ａ，Ｂと溝の側面がそれぞれ正対するため、溝の側面に直接入射する光の量が増加する。このため、溝の側面に直接入射する光によって乱反射が生じ、その乱反射光の強度のばらつきが増大し、それが原因で、輝度分布にムラが生じると推察される。
【００９９】
次に、図１０の（a）に示すように、溝をその幅方向から跨ぐようにして配設された２つの照射装置Ｃ，Ｄから放たれる光の光芒の中心軸が溝の長手方向成分を持つような方向から直線状の溝の内面に光を照射する場合について考察する（以下、このような照射の仕方を垂直照射方式とする）。垂直照射方式により溝の内面を照射した場合、溝の側面と照射装置が対面しない。このため、溝の側面に直接入射する光の量が減少する。つまり、溝の側面に直接入射する光の乱反射光の強度のばらつきが抑えられる。よって、溝の長手方向に沿った輝度分布のムラは小さい。このため、垂直照射方式で光を照射して直線状の溝内を検査すると、図１０の（ｂ）に示すように、溝内の長方形の領域における輝度分布のムラを抑制できる。よって、溝の内面の正常部は明るく見え、欠陥部は暗く見え、溝内の検査がより正確になる。なお、垂直照射方式で光を照射した場合でも、溝の側面に多少の光は照射されるので、図１０（ｂ）に示すように溝の底面がさほど暗くなることはない。
【０１００】
本実施形態において、この垂直照射方式は、第二照射部２９と第四照射部３１とによって溝内を照射する方式である。つまり、垂直照射方式は、照射光の進行方向が溝の長手方向成分を含むように、照射光を溝の内面に照射する照射方式である。垂直照射方式により直線状の溝内を照射することによって、溝の底面及び両側面における欠陥の検出精度がより向上し、その結果、直線状の溝の検査精度をより向上させることができる。
【０１０１】
次に、湾曲状の溝に照射装置で光を照射した場合の溝内の長手方向の位置における輝度分布について説明する。図１１の（ａ）に示すように、照射装置Ｅ，Ｆを用いて垂直照射方式で湾曲状の溝内に光を照射する場合、溝の位置によっては、溝の側面に光が遮られる領域が生じる。よって、図１１の（ｂ）に示すように、溝の位置によって輝度分布のムラが生じる可能性がある。このため、垂直照射方式で光を照射して湾曲状の溝内を検査すると、前述のように誤検出や欠陥の見逃しを生じる可能性がある。
【０１０２】
一方、図１２の（a）に示すように、湾曲状の溝に垂直照射方式として配設した２つの照射装置Ｇ，Ｈに加えて、平行照射方式として２つの照射装置Ｉ，Ｊを配設する、すなわち四方向から光を照射する（以下、垂直・平行照射併用方式とする）場合、垂直照射方式では十分に照射されなかった領域が、平行照射方式による照射によって照射される。このため、図１２の（ｂ）に示すように、溝内の輝度分布のムラが生じることを抑制できる。よって、垂直・平行照射併用方式で光を照射して湾曲状の溝内を検査すると、溝の内面の正常部は明るく見え、欠陥部は暗く見え、溝内の検査がより正確になる。
【０１０３】
本実施形態において、この垂直・平行照射併用方式は、第一照射部２８、第二照射部２９、第三照射部３０、第四照射部３１によって溝内を照射する方式である。垂直・平行照射併用方式により湾曲状の溝内を照射することによって、溝の底面及び両側面における欠陥の検出精度がより向上し、その結果、湾曲状の溝の検査精度をより向上させることができる。
【０１０４】
このように、本実施形態によれば、溝の内面を検査するにあたり、溝の開口面に対面配置した広角レンズによって、溝の内面を撮像している。よって、溝の底面及び両側面を同時に撮像することができる。従って、溝の底面及び両側面を同時に検査することができ、検査工数の短縮化を図ることができる。また、直線状の溝を検査する際には、垂直照射方式により溝の内面を照射するため、直線状の溝の検査精度をより向上させることができる。また、湾曲状の溝を検査する際には、垂直・平行照射併用方式により溝の内面を照射するため湾曲状の溝の検査精度をより向上させることができる。
【０１０５】
以上、本発明の実施形態について説明したが、本発明は、上述の実施形態に限定されることはない。例えば、上記実施形態においては、対物レンズとして、画角が１１０°の広角レンズを用いた例を説明したが、画角が６０°以上であれば、溝の底面及び両側面を同時に撮像することができる。また、上記実施形態においては、対物レンズを通じて得られた撮像画像に基づいて溝の内面を検査する例について説明したが、例えば目視によって溝の内面を検査することができる。このように、本発明は、その趣旨を逸脱しない範囲において適宜変更可能である。
【符号の説明】
【０１０６】
１…検査装置、２…カメラ、３…撮像装置、４…入出力制御装置、５…照射装置用電源装置、６…照射装置、７…支持装置、８…制御装置、９…ロボットアーム制御装置、１０…ワーク移動装置、１１…対物レンズ、１２…鏡筒、１３…レンズシステム、１４…連結アダプター、１５…受光素子、２２…画像処理装置、２５…照射制御装置、２８…第一照射部（第二照射部、第二光源部）、２９…第二照射部（第一照射部、第一光源部）、３０…第三照射部（第二照射部、第二光源部）、３１…第四照射部（第一照射部、第一光源部）、３２…ＬＥＤ素子、Ｗ…ワーク
【図１】
0006676910.tif 000002
【図２】
0006676910.tif 000003
【図３】
0006676910.tif 000004
【図４Ａ】
0006676910.tif 000005
【図４Ｂ】
0006676910.tif 000006
【図４Ｃ】
0006676910.tif 000007
【図５】
0006676910.tif 000008
【図６】
0006676910.tif 000009
【図７】
0006676910.tif 000010
【図８】
0006676910.tif 000011
【図９】
0006676910.tif 000012
【図１０】
0006676910.tif 000013
【図１１】
0006676910.tif 000014
【図１２】
0006676910.tif 000015